(57)【要約】【課題】録画予約したい番組の番組名をユーザが思い出せない場合でも、その番組名を調べてユーザに報知し、録画機能の利用率を向上させた録画予約システム、及びこの録画予約システムで適用される録画装置を提供する。【解決手段】ユーザは、録画予約したい番組で使用されている歌唱を、録画装置３のマイク３７に向かって歌う。録画装置３の制御部３０は、歌唱に関する歌唱データを、ネットワーク５を介してDBサーバ２に送信する。録画装置３から送信されてきた歌唱データを受信すると、DBサーバ２側の制御部２１は、歌唱データが含まれる音楽データに対応する番組名を、ハードディスク２２のテーブルから抽出する。問い合わせに対する結果がサーバ２から返信され、番組名が返信された場合、制御部３０は、その番組名を表示部３５に表示する。【選択図】  図１
2008099082.tif 000002
【特許請求の範囲】
【請求項１】
テレビ放送信号を受信し、録画予約された番組を前記テレビ放送信号から抽出してメディアに録画する録画手段と、各チャンネルで放送されている番組の属性を示す番組情報を受信して取得する取得手段と、を有する録画装置と、
ネットワークを介して前記録画装置と接続されるサーバと、を備えた録画予約システムにおいて、
前記録画装置は、番組で使用される歌唱を入力するための歌唱入力手段と、前記歌唱に関する歌唱データを前記サーバに送信する送信手段と、を有し、
前記サーバは、
各番組の番組名と前記各番組のオープニング又はエンディングで流れる音楽データとを対応付けて記憶するテーブルと、
前記送信手段から前記歌唱データを受信すると、前記歌唱データが含まれる音楽データに対応する番組名を前記テーブルから抽出して前記録画装置に返信する抽出手段と、を有し、
前記録画装置は、
前記抽出手段から返信された前記番組名を報知する報知手段と、
前記抽出手段から返信された前記番組名に対応する、前記番組情報中の情報に基づいて、前記録画手段が録画する番組の録画予約を行う録画予約手段と、を有する録画予約システム。
【請求項２】
テレビ放送信号を受信し、録画予約された番組を前記テレビ放送信号から抽出してメディアに録画する録画手段を有する録画装置と、
ネットワークを介して前記録画装置と接続されるサーバと、を備えた録画予約システムにおいて、
前記録画装置は、番組で使用される歌唱を入力するための歌唱入力手段と、前記歌唱に関する歌唱データを前記サーバに送信する送信手段と、を有し、
前記サーバは、
各番組の番組名と前記各番組で放送される音楽データとを対応付けて記憶するテーブルと、
前記送信手段から前記歌唱データを受信すると、前記歌唱データが含まれる音楽データに対応する番組名を前記テーブルから抽出して前記録画装置に返信する抽出手段と、を有し、
前記録画装置は、前記抽出手段から返信された前記番組名を報知する報知手段を有する録画予約システム。
【請求項３】
前記録画装置は、
各チャンネルで放送されている番組の属性を示す番組情報を受信して取得する取得手段と、
前記抽出手段から返信された前記番組名に対応する、前記番組情報中の情報に基づいて、前記録画手段が録画する番組の録画予約を行う録画予約手段と、を有する請求項２に記載の録画予約システム。
【請求項４】
前記サーバの前記テーブルは、前記音楽データとして、前記各番組のオープニング又はエンディングで流れる音楽のデータを記憶するテーブルである請求項２又は３に記載の録画予約システム。
【請求項５】
テレビ放送信号を受信し、録画予約された番組を前記テレビ放送信号から抽出してメディアに録画する録画手段を備える録画装置において、
歌唱を入力するための歌唱入力手段と、
前記歌唱入力手段において入力された前記歌唱に関する歌唱データを送信する送信手段と、
前記送信手段が送信した前記歌唱データが含まれる音楽データに対応する番組名が返信されると、返信された前記番組名を報知する報知手段と、を有する録画装置。
【発明の詳細な説明】
【技術分野】
【０００１】
本発明は、テレビ放送信号を受信し、録画予約された番組を前記テレビ放送信号から抽出してメディアに録画する録画予約システム、及びこの録画予約システムで適用される録画装置に関するものである。
【背景技術】
【０００２】
従来から、テレビ放送信号を受信し、録画予約された番組をそのテレビ放送信号から抽出し、内臓するメディアに録画する録画装置が実用化され、一般に普及している。メディアは、例えばDVD（Digital Versatile Disk）、HD（Hard Disk）である。録画装置は、例えばDVDレコーダ、HDD（Hard Disk Drive）である。
【０００３】
このような録画装置において録画予約する場合、ユーザは、録画予約したい番組の番組名を手がかりに新聞のテレビ欄や電子番組表等を確認する。そして、ユーザは、録画予約したい番組が開始される時刻や同番組が放送されるチャンネル等を、新聞のテレビ欄や電子番組表等から調べ、録画予約する。この結果、録画装置は、録画予約された内容に従って、番組をメディアに録画する。
一方、放送波選択用受信システムが提案されている（特許文献１参照）。
【特許文献１】特開２００６−１３９３６公報
【発明の開示】
【発明が解決しようとする課題】
【０００４】
しかしながら、録画予約したい番組の番組名をユーザが思い出せない場合がある。この場合、録画予約したい番組のチャンネル等を調べることができないため、ユーザは、録画予約をすることができない。
よって、従来の録画装置では、録画予約したい番組の番組名をユーザが思い出せない場合、ユーザは番組の録画を諦めざるを得なかった。従って、従来の録画装置では、録画機能の利用率が悪かった。
【０００５】
本発明はこのような従来の課題を解決しようとするものであり、録画予約したい番組の番組名をユーザが思い出せない場合でも、その番組名を調べてユーザに報知し、録画機能の利用率を向上させた録画予約システム、及びこの録画予約システムで適用される録画装置を提供することを目的とする。
【課題を解決するための手段】
【０００６】
本発明の録画予約システムは、前記課題を解決するために以下の構成を備えている。
【０００７】
（１）テレビ放送信号を受信し、録画予約された番組を前記テレビ放送信号から抽出してメディアに録画する録画手段を有する録画装置と、
ネットワークを介して前記録画装置と接続されるサーバと、を備えた録画予約システムにおいて、
前記録画装置は、番組で使用される歌唱を入力するための歌唱入力手段と、前記歌唱に関する歌唱データを前記サーバに送信する送信手段と、を有し、
前記サーバは、
各番組の番組名と前記各番組で放送される音楽データとを対応付けて記憶するテーブルと、
前記送信手段から前記歌唱データを受信すると、前記歌唱データが含まれる音楽データに対応する番組名を前記テーブルから抽出して前記録画装置に返信する抽出手段と、を有し、
前記録画装置は、前記抽出手段から返信された前記番組名を報知する報知手段を有する。
【０００８】
この構成において、歌唱は、主として歌声であり、ハミングも含む概念である。番組のジャンルは、例えばドラマ、ニュース番組、バラエティ番組である。
この構成においては、ユーザは録画予約を希望する番組で使用されている歌唱を歌唱入力手段に向かって歌う。すると、送信手段は、この歌唱が使用されている番組の番組名をサーバに問い合わせる。サーバから問い合わせの結果が返信されると、報知手段が番組名を報知する。この報知は、映像と音声のどちらでも構わない。
このように、録画予約したい番組の番組名をユーザが思い出せない場合でも、録画予約システムがその番組名を調べてユーザに報知する。これにより、ユーザは、その番組名から録画予約することができる。従って、録画機能の利用率を向上させることができる。
【０００９】
（２）前記録画装置は、
各チャンネルで放送されている番組の属性を示す番組情報を受信して取得する取得手段と、
前記抽出手段から返信された前記番組名に対応する、前記番組情報中の情報に基づいて、前記録画手段が録画する番組の録画予約を行う録画予約手段と、を有する。
【００１０】
この構成において、番組情報は、例えばEPGである。
この構成においては、録画予約手段が、抽出手段から返信された番組名と番組情報とに基づいて、自動で録画予約を行う。
これにより、番組名が報知された後の、ユーザが手動で録画予約を行う手間を省くことができる。従って、ユーザの使い勝手を向上させることができる。
【００１１】
（３）前記サーバの前記テーブルは、前記音楽データとして、前記各番組のオープニング又はエンディングで流れる音楽のデータを記憶するテーブルである。
【００１２】
また、本発明の録画装置は、前記課題を解決するために以下の構成を備えている。
【００１３】
（４）テレビ放送信号を受信し、録画予約された番組を前記テレビ放送信号から抽出してメディアに録画する録画手段を備える録画装置において、
歌唱を入力するための歌唱入力手段と、
前記歌唱入力手段において入力された前記歌唱に関する歌唱データを送信する送信手段と、
前記送信手段が送信した前記歌唱データが含まれる音楽データに対応する番組名が返信されると、返信された前記番組名を報知する報知手段と、を有する。
【００１４】
この構成においては、この録画装置は、上記（１）の録画予約システムに用いられる。
これにより、上記（１）と同様の効果を奏する。
なお、前記抽出手段が前記テーブルの情報を最新の情報に更新する構成を、上記（１）〜（４）に追加しても構わない。これにより、サーバは、最新の番組に対応したテーブルを有する。
【発明の効果】
【００１５】
この発明によれば、録画機能の利用率を向上させることができる。
【発明を実施するための最良の形態】
【００１６】
以下、本発明の実施形態である録画予約システムについて説明する。
【００１７】
図１は、本発明の実施形態である録画予約システムのシステム構成図である。録画予約システム１０１は、放送局１から配信されたテレビ放送信号を受信し、録画予約された番組を前記テレビ放送信号から抽出して光ディスク１００に録画する録画装置３と、ネットワーク５を介して録画装置３と接続されるデータベース（以下、「DB」と称する）サーバ２と、を備える。
【００１８】
録画装置３は、所謂ＤＶＤレコーダである。光ディスク１００は、例えばＤＶＤ（Ｄｉｇｉｔａｌ  Ｖｅｒｓａｔｉｌｅ  Ｄｉｓｋ）規格に準拠して製造されたディスクである。
【００１９】
録画装置３は、録画機能として、放送局１から配信されたテレビ放送信号を受信する受信部４１と、受信部４１から入力された映像信号や音響信号をエンコードして圧縮するデータプロセッサ４２と、録画予約情報に基づく番組等のデータを光ディスク１００に記録する光ディスクドライブ４３と、を備える。
【００２０】
さらに、録画装置３は、ユーザの入力操作（指示）を受け付ける操作部３１と、録画予約情報又は録画装置３本体の動作状態を表示する表示部３５と、ルータ（不図示）を介してネットワーク５と接続されているNIC（Network Interface Card）３３と、制御プログラム等を記憶するメモリ３２と、装置本体各部の動作を制御プログラムに従って制御する制御部３０と、を備える。
ここで、録画予約情報は、録画予約された番組名、録画予約された番組のチャンネル（録画予約チャンネル）、録画開始日時／録画終了日時（録画予約時間）であり、録記録画質等も含まれる。
【００２１】
制御部３０は、例えばMPUである。さらに、制御部３０は、上記制御プログラムを展開するためのワークフィールドとしてのRAMと、録画装置３の時間管理に利用されるタイマー回路（時計ユニット）と、を内臓する（いずれも不図示）。
【００２２】
制御部３０は、メモリ３２に記憶されている制御プログラムに従い、光ディスク１００に対するデータの記録及び削除と、操作部３１を介して入力された録画予約情報に基づく録画予約された番組の録画動作と、表示部３５を用いた表示動作と、等を制御する。
【００２３】
受信部４１は、放送局１から配信されるテレビ放送信号が受信されるアンテナ（不図示）と接続されている。そして、受信部４１は、アンテナで受信したテレビ放送信号から選択されているチャンネルのテレビ放送信号を抽出し、データプロセッサ４２に出力する。テレビ放送信号は、例えばＭＰＥＧ２で圧縮された信号である。また、この信号には、放送予定の番組について放送開始時間などを示した番組表のデータである、電子番組ガイド（ＥＰＧ）が多重化されている。
【００２４】
データプロセッサ４２は、受信部４１から入力されたテレビ放送信号から映像信号、音響信号、ＥＰＧの信号を分離する。そして、データプロセッサ４２は、映像信号や音響信号をエンコードして圧縮し、記録データとして、光ディスクドライブ４３に出力する。また、データプロセッサ４２は、ＥＰＧの信号を制御部３０に出力する。
そして、光ディスクドライブ４３は、制御部３０の指示に従って、番組等のデータを光ディスク１００に記録する。
【００２５】
一方、制御部３０は、データプロセッサ４２から伝送されたＥＰＧの信号を受信すると、それをデコードして、ＥＰＧ３２Aを取得する。このＥＰＧ３２Aの取得は、所定時に行うよう予め設定されている。
ＥＰＧ３２Aは、各チャンネルで放送されている番組の属性を示す番組情報である。ＥＰＧ３２Aには、各番組の番組名、該各番組に対応するチャンネル、該各番組の放送開始時刻および放送終了時刻などの情報が含まれている。
【００２６】
そして、制御部３０は、取得したＥＰＧ３２Aをメモリ３２に更新記録する。すなわち、既にＥＰＧがある場合、つまり、前回のＥＰＧがある場合、制御部３０は、前回のＥＰＧを消去し、取得したＥＰＧ３２Aをメモリ３２に記録する。
メモリ３２は、例えばEEPROMである。メモリ３２は、上記EPG３２Aが記憶される領域と、上記録画予約情報を記憶する録画予約情報テーブル３２Bの領域と、制御プログラムが記録される領域と、に分かれている。
【００２７】
また、制御部３０には、録画予約情報又は録画装置３本体の動作状態を表示する表示部３５と、ユーザからの操作（指示）を受け付ける操作部３１と、が接続されている。
表示部３５は、例えばLCD（Liquid Crystal Display）である。
【００２８】
制御部３０は、操作部３１においてEPGの表示が指示されると、EPG３２Aを表示部３５に表示する。これにより、表示部３５において、例えば図２に示すようなEPGの画像が表示される。
図２は、EPG画面の表示例を示す図である。近年、放送が多チャンネル化することによって、番組の内容も多種多様化しているが、ユーザは、このEPGを利用することによって、番組の録画予約や選局を簡単に行うことができる。
【００２９】
次に、録画予約情報テーブル３２Bについて説明する。
操作部３１は、録画キー、録画を停止する停止キー、及びその他の操作キーを有している。これらのキー操作により、ユーザは、録画、録画予約情報の入力及び録画予約情報の変更等が可能である。
【００３０】
録画予約する場合、ユーザは、録画予約したい番組の番組名を手がかりに新聞のテレビ欄や電子番組表等を確認する。そして、ユーザは、録画予約したい番組が開始される時刻や同番組が放送されるチャンネル等を、新聞のテレビ欄や電子番組表等から調べる。そして、ユーザは、録画予約情報を表示部３５に表示してそれを見つつ、操作部３１によって録画予約する。
【００３１】
この録画予約によって、録画予約情報が録画予約情報テーブル３２Bに登録される。この録画予約情報は、録画予約された番組名、録画予約された番組のチャンネル（録画予約チャンネル）、録画開始日時／録画終了日時（録画予約時間）である。
【００３２】
録画予約情報は、例えば図３に示すように、録画予約情報テーブル３２Bに登録される。
図３は、録画予約情報テーブル３２Bのフォーマットの一例を示す図である。
【００３３】
制御部３０は、光ディスクドライブ４３から光ディスク１００の管理情報を、録画予約情報テーブル３２Bから録画予約情報を、取得する。制御部３０は、内臓するタイマー回路（時計ユニット）及び録画予約情報テーブル３２Bをモニタしながら、ユーザにより設定された録画予約情報を管理する。そして、制御部３０は、録画開始時刻に達した時点で録画開始指示を、及び録画終了時刻に達した時点で録画終了指示を、光ディスクドライブ４３等に出力する。
このようにして、録画装置３は、録画予約された内容に従って、番組を光ディスク１００に録画する。
【００３４】
しかしながら、録画予約したい番組の番組名をユーザが思い出せない場合がある。この場合、録画予約したい番組のチャンネル等を調べることができないため、ユーザは、録画予約をすることができない。
そこで、この実施形態では、以下のように構成している。
【００３５】
録画装置３は、ユーザの歌唱を入力するためのマイク３７と、その歌唱を歌唱データにA／D変換する歌唱解析部３８と、歌唱データを歌唱再生信号にD／A変換するDAC（Digital Analog Converter）３４と、歌唱再生信号を処理して放音するスピーカ３６と、ルータ（不図示）を介してネットワーク５と接続されているNIC（Network Interface Card）３３と、を備える。ここで、歌唱は、主として歌声であり、ハミングも含む概念である。
【００３６】
さらに、操作部３１に、歌唱から番組名を得るための歌唱入力キーと、メッセージに対する回答を入力するための回答キーと、を設けた（いずれも不図示）。
【００３７】
なお、マイク３７が、本発明の「歌唱入力手段」に相当する。歌唱解析部３８、制御部３０、及びNIC３３が、本発明の「送信手段」に相当する。表示部３５が、本発明の「報知手段」に相当する。受信部４１、データプロセッサ４２、及び制御部３０が、本発明の「取得手段」に相当する。制御部３０が、本発明の「録画予約手段」に相当する。
【００３８】
一方、DBサーバ２は、ルータ（不図示）を介してネットワーク５と接続されているNIC（Network Interface Card）２０と、DBサーバ２の各部の動作を制御する制御部２１と、制御プログラムを記憶するハードディスク２２と、を備える。ここで、DBサーバ２は、放送局１に設置されていても構わない。
【００３９】
制御部２１は、例えばMPUである。さらに、制御部２１は、上記制御プログラムを展開するためのワークフィールドとしてのRAMと、DBサーバ２の時間管理に利用されるタイマー回路（時計ユニット）と、を内臓する（いずれも不図示）。
【００４０】
なお、制御部２１が、本発明の「抽出手段」に相当する。が、本発明の「抽出手段」に相当する。が、本発明の「抽出手段」に相当する。
【００４１】
図４は、DBサーバ２におけるテーブルのフォーマットの一例を示す図である。ハードディスク２２は、さらに、図４に示すようなテーブルを記憶する。このテーブルは、各番組の番組名と各番組で放送される音楽データとを対応付けて記憶するテーブルである。音楽データは、MIDI化され、その特徴点のみがテーブルに記憶されている。音楽データの特徴点とは、音楽の、音色、リズム、音程、速度などを示す情報である。このMIDI化により、音楽データのデータ量を小さくしておく。
【００４２】
なお、この実施形態では、音楽データとして、番組のオープニングとエンディングで流れる音楽のデータを用意している。しかし、実施の際は、これら以外で流れる音楽（例えば挿入歌など）のデータを用意しても構わない。
また、制御部２１は、上記のタイマー回路を管理し、定期的に上記テーブルの情報を最新の情報に更新する。例えば、テーブルが１週間分の情報を有している場合、制御部２１は、１週間毎に上記テーブルの情報を最新の情報に更新する。
これにより、DBサーバ２は、最新の番組に対応したテーブルを有する。ここで、テーブルの情報を更新する場合、制御部２１は、例えばテーブルの情報を更新するための更新ファイルを、録画予約システム１０１を提供したサイトからダウンロードして更新する。
【００４３】
図５は、録画装置３とDBサーバ２における各制御部の動作を示すフローチャートである。この動作は、ユーザが操作部３１の歌唱入力キーを押下した時の動作である。
まず、録画装置３側の制御部３０は、録画予約したい番組に関する歌唱の入力を促すメッセージを表示部３５に表示する（S1）。メッセージは、例えば「録画予約したい番組で使用されている歌をマイク３７に向かって歌って下さい。」である。これにより、ユーザは、録画予約したい番組で使用されている歌をマイク３７に向かって歌う。
【００４４】
マイク３７から歌唱が入力されると（S２）、制御部３０は、その歌唱に関する歌唱データを作成するよう歌唱解析部３８に指示する（S３）。詳述すると、歌唱解析部３８は、まず、マイク３７から入力された歌唱信号からノイズキャンセルにより雑音を除去する。さらに、歌唱解析部３８は、その歌唱を歌唱データにA／D変換する。最後に、歌唱解析部３８は、歌唱データを所定の形式でエンコードして制御部３０に出力する。
【００４５】
ここで、歌唱データに対するエンコードについて詳述する。歌唱解析部３８は、歌唱データをMIDI（Musical Instruments Digital Interface）化する。具体的には、歌唱解析部３８は、歌唱データの特徴点のみを制御部３０に出力する。歌唱データの特徴点とは、歌唱の、音色、リズム、音程、速度などを示す情報である。このMIDI化により、歌唱データのデータ量を小さくしておく。
【００４６】
次に、制御部３０は、内臓のRAMに歌唱データを保持するとともに、その歌唱データを再生する（S４）。詳述すると、制御部３０は、保持した歌唱データのコピーをデコード（再構築）してDAC３４に出力する。DAC３４は、制御部３０から出力されてきた歌唱データをD／A変換してスピーカ３６に出力する。
これにより、ユーザは、スピーカ３６から出力される歌唱を聞いて、自分の入力した歌唱を確認することができる。
【００４７】
制御部３０は、自分の入力した歌唱が自分の意図する歌唱であるか否かを問うメッセージを表示部３５に表示し、そのメッセージに対する回答を待ち受ける（S５）。このメッセージは、例えば「この歌唱に基づいて番組名を調べます。よろしいですか？」である。ユーザは、このメッセージを見て、メッセージに対する回答を操作部３１の回答キーによって入力する。
【００４８】
自分の入力した歌唱が自分の意図する歌唱でない旨の回答が入力されると、制御部３０は、S1に戻り処理を継続する。この場合、ユーザはもう一度、録画予約したい番組で使用されている歌をマイク３７に向かって歌うことになる。
【００４９】
一方、自分の入力した歌唱が自分の意図する歌唱である旨の回答が入力されると、制御部３０は、RAMに保持している歌唱データを、ネットワーク５を介してDBサーバ２に送信する（S６）。ここでは、制御部３０は、歌唱データに対応する番組名をDBサーバ２に問い合わせている。
【００５０】
録画装置３から送信されてきた歌唱データを受信すると、DBサーバ２側の制御部２１は、歌唱データが含まれる音楽データに対応する番組名を、図４に示すテーブルから抽出する（S２１）。詳述すると、制御部２１は、まず、歌唱データが含まれる音楽データを音楽データのフィールドにおいて検索する。そして、歌唱データが含まれる音楽データが見つかった場合、制御部２１は、音楽データに対応する番組名を図４に示すテーブルから抽出する。例えば、ユーザがマイク３７で入力した歌唱が番組名「○○の丘」のエンディングであれば、制御部２１は、番組名「○○の丘」を図４に示すテーブルから抽出する。
なお、図４に示すテーブルの音楽データ及び上記S3の歌唱データのMIDI化により、データ量を小さくしているので、MIDI化を行わない場合と比べて検索速度が速くなる。即ち、抽出速度が速くなる。
【００５１】
そして、制御部２１は、録画装置３からの問い合わせに対する結果を、ネットワーク５を介して録画装置３に返信する（S２２）。即ち、歌唱データが含まれる音楽データが見つかった場合、制御部２１は、音楽データに対応する番組名を録画装置３に返信する。ここで、複数の候補（番組名）がある場合は、その全てを録画装置３に返信する。逆に、歌唱データが含まれる音楽データが見つからなかった場合、制御部２１は、歌唱データが含まれる音楽データに対応する番組名が見つからなかった旨を録画装置３に返信する。
【００５２】
問い合わせに対する結果がサーバ２から返信され、番組名が返信された場合（S７）、制御部３０は、その番組名を表示部３５に表示する（S８）。例えば、番組名「○○の丘」が返信された場合、制御部３０は、その番組名「○○の丘」を表示部３５に表示する。ここで、複数の候補（番組名）がある場合は、制御部３０は、その全てを表示部３５に表示する。
【００５３】
このように、録画予約したい番組の番組名をユーザが思い出せない場合でも、録画予約システム１０１がその番組名を調べてユーザに報知する。これにより、ユーザは、その番組名から録画予約することができる。従って、録画機能の利用率を向上させることができる。
なお、この実施形態では、番組名をユーザに報知するために表示部３５を使用しているが、音声を使用しても構わない。例えば、スピーカ３６から番組名をユーザに報知しても構わない。
【００５４】
一方、問い合わせに対する結果がサーバ２から返信され、番組名が返信されなかった場合（S７）、制御部３０は、歌唱データが含まれる音楽データに対応する番組名が見つからなかった旨を表示部３５に表示し（S９）、本処理を終了する。この旨の表示は、例えば「あなたが入力した歌唱に関連する番組名は見つかりませんでした。」である。
なお、問い合わせに対する結果が一定時間以内にサーバ２から返信されなかった場合、制御部３０は、番組名が返信されなかったとみなす。
【００５５】
また、本発明の実施形態は、以下の変形例を採用することができる。
【００５６】
図６は、本発明の実施形態の変形例である録画予約システムにおける、録画装置３とDBサーバ２における各制御部の動作を示すフローチャートである。この動作は、図５のS８の後にS１０〜S１２を追加した動作であり、その他の処理（S１〜S９）については同じである。
【００５７】
S８の後、制御部３０は、サーバ２から返信された番組名をメモリ３２に保存する（S１０）。続いて、制御部３０は、メモリ３２のEPG３２Aを参照する（S１１）。
【００５８】
そして、制御部３０は、サーバ２から返信された番組名に対応する、ＥＰＧ３２A中の番組情報に基づいて、光ディスクドライブ４３が録画する番組の録画予約を行う（S１２）。そして、本処理を終了する。例えば、サーバ２から返信された番組名が「○○の丘」であれば、制御部３０は、「○○の丘」に対応する、ＥＰＧ３２A中の番組情報に基づいて、録画予約情報テーブル３２Bに録画予約する（図７の中段参照）。
【００５９】
図７は、本発明の実施形態である録画予約システムで録画予約を行った後の録画予約情報テーブル３２Bのフォーマットの一例を示す図である。
【００６０】
これにより、S８において番組名が報知された後、ユーザが手動で録画予約する手間を省くことができる。従って、ユーザの使い勝手を向上させることができる。
【図面の簡単な説明】
【００６１】
【図１】本発明の実施形態である録画予約システムのシステム構成図
【図２】EPG画面の表示例を示す図
【図３】録画予約情報テーブル３２Bのフォーマットの一例を示す図
【図４】DBサーバ２におけるテーブルのフォーマットの一例を示す図
【図５】本発明の実施形態である録画予約システムにおける、録画装置３とDBサーバ２における各制御部の動作を示すフローチャート
【図６】本発明の実施形態の変形例である録画予約システムにおける、録画装置３とDBサーバ２における各制御部の動作を示すフローチャート
【図７】本発明の実施形態の変形例である録画予約システムで録画予約を行った後の録画予約情報テーブル３２Bのフォーマットの一例を示す図
【符号の説明】
【００６２】
１−放送局
２−サーバ
３−録画装置
５−ネットワーク
２１−制御部
２２−ハードディスク
３０−制御部
３１−操作部
３２−メモリ
３２A−ＥＰＧ
３２B−録画予約情報テーブル
３５−表示部
３６−スピーカ
３７−マイク
３８−歌唱解析部
４１−受信部
４２−データプロセッサ
４３−光ディスクドライブ
１００−光ディスク
１０１−録画予約システム
【図１】
2008099082.tif 000003
【図２】
2008099082.tif 000004
【図３】
2008099082.tif 000005
【図４】
2008099082.tif 000006
【図５】
2008099082.tif 000007
【図６】
2008099082.tif 000008
【図７】
2008099082.tif 000009